(57)【要約】【課題】  入場を許可する場合には外来者の携帯情報端末に対してメッセージを送信することにより、外来者に企業等の管理者側のイメージアップを印象づけることが可能な方法を提供する。【解決手段】  予め入場許可申請をした外来者の携帯電話モジュール１０のＩＤを保持し、管理対象のエリアの入口に設置された管理モジュール４０等によって携帯電話モジュールのＩＤを読み取り、入退場管理サーバ３０はそのＩＤと予め保持したＩＤとの照合を行う。また、入退場管理サーバ３０は入場を許可する場合には、ゲートを開き、且つ、メッセージ通知サーバ７０に対して携帯電話モジュールに入場を許可するメッセージを送信するように指令し、携帯電話モジュールに入場を許可するメッセージや歓迎のメッセージを表示させる。【選択図】        図３
2006293819.tif 000002
【特許請求の範囲】
【請求項１】
固有のＩＤが付与され、非接触で通信を行う通信部を有する携帯端末と、管理対象の場所の入口に設置され、前記携帯端末から非接触でＩＤを読み取る管理モジュールと、前記携帯端末と通信ネットワークを介して接続され、前記携帯端末にメッセージを送信するメッセージ通知サーバと、前記携帯端末と通信ネットワークを介して接続され、入場許可申請をした外来者の携帯端末のＩＤを保持し、前記管理モジュールによって読み取られた携帯端末のＩＤと予め保持したＩＤとの照合を行う入退管理サーバとを備え、前記入退管理サーバは入場を許可する場合には、前記管理モジュールに入場を許可する指令を送信してゲートを開き、且つ、前記メッセージ通知サーバに対して携帯端末に入場を許可するメッセージを送信するように指令することを特徴とする入退場管理システム。
【請求項２】
更に、外来者からの入場申請を受け付ける入退場申請モジュールを含み、前記入退管理サーバは前記入退場申請モジュールからの入場許可申請情報に基づいて入場を許可するか否かの審査を行い、入場許可申請に対して入場を許可する場合には、前記携帯端末からのＩＤを保持することを特徴とする請求項１に記載の入退場管理システム。
【請求項３】
前記メッセージ通知サーバは、外来者の携帯端末に対して来場を歓迎するメッセージを送信することを特徴とする請求項１に記載の入退場管理システム。
【請求項４】
前記管理モジュールは、管理対象の建物の入口、管理対象のフロアの入口、又は管理対象の部屋の入口に設置されていることを特徴とする請求項１から３のいずれか１項に記載の入退場管理システム。
【請求項５】
前記管理モジュールには、固有のシリアルＩＤが付与されており、前記携帯端末はそのシリアルＩＤナンバーを読み取り、このシリアルＩＤナンバーと自己のシリアルＩＤナンバーを前記入退管理サーバに送信し、前記入退管理サーバは前記管理モジュールのシリアルＩＤナンバーと前記携帯電話モジュールのシリアルＩＤナンバーに基づいて入場可否を判定することを特徴とする請求項１から４のいずれか１項に記載の入退場管理システム。
【請求項６】
前記管理モジュールは時間を表示する手段を有し、前記携帯端末はその時間を読み取り、この時間情報と自己のシリアルＩＤナンバーを前記入退管理サーバに送信し、前記入退管理サーバは前記時間情報と前記携帯電話モジュールのシリアルＩＤナンバーに基づいて入場可否を判定することを特徴とする請求項１から４のいずれか１項に記載の入退場管理システム。
【請求項７】
前記管理モジュールは、バーコードによって時間を表示することを特徴とする請求項６に記載の入退場管理システム。
【請求項８】
固有のＩＤが付与され、非接触で通信を行う通信部を有する携帯端末から、管理対象の場所の入口に設置された管理モジュールが非接触でＩＤを読み取るステップと、前記携帯端末と通信ネットワークを介して接続された入退管理サーバが前記管理モジュールによって読み取られた携帯端末のＩＤと予め保持したＩＤとの照合を行い、入場可否を判定するステップと、前記入退管理サーバが入場を許可する場合には、前記管理モジュールに入場を許可する指令を送信してゲートを開き、且つ、メッセージ通知サーバに対して携帯端末に入場を許可するメッセージを送信するように指令するステップとを含むことを特徴とする入退場管理方法。
【発明の詳細な説明】
【技術分野】
【０００１】
本発明は、携帯電話機等の携帯端末を用いて入退場管理を行う入退場管理方法及びシステムに関するものである。
【背景技術】
【０００２】
従来、携帯情報端末を用いて入退場管理を行う方法が知られている。例えば、特開２００１−３０６９７５号公報に記載されているように、携帯情報端末を携帯したユーザがゲートを通過しようとすると、携帯情報端末の記憶部からゲートに設けられた読み取り装置がＩＤを読み出してサーバに送信し、そのサーバにおいて読み出したＩＤが予約として記録されているか否かを検索し、その検索結果に基づいてゲートを開閉する方法がある（特許文献１）。
【０００３】
また、特開２００４−３５３３９７号公報に記載されているように訪問者の携帯情報端末に訪問許可情報を記憶させ、その携帯情報端末と訪問先の通信アダプタとの間で通信を行うことにより携帯情報端末から訪問許可情報を読み出して認証確認を行い、その結果に基づいてセキュリティゾーンの施解錠を行う方法がある（特許文献２）。
【特許文献１】特開２００１−３０６９７５号公報（段落００２２〜００２３等）
【特許文献２】特開２００４−３５３３９７号公報（段落０００８〜００１４等）
【発明の開示】
【発明が解決しようとする課題】
【０００４】
特許文献１、２には、携帯情報端末と入場口に設けられたゲートの読み取り装置（リーダ）との間で通信を行い、入場許可情報等予め入場を許可する情報を読み取った場合には、ゲートを開いて入場を許可することが記載されている。しかしながら、携帯情報端末を携帯して入場する者と管理者側とがコミュニケーシュンをとることには言及されていない。そのため、ゲートから入場しようとする外来者は、ゲートが開いた時に始めて入場を許可されたことを知ることができ、入場を機械的に管理するだけで無味乾燥の感を拭い去ることはできなかった。
【０００５】
本発明の目的は、入場を許可する場合には外来者の携帯端末に対してメッセージを送信することにより、外来者に企業等の管理者側のイメージアップを印象づけることが可能な入退場管理方法及びシステムを提供することにある。
【課題を解決するための手段】
【０００６】
本発明は、上記目的を達成するため、固有のＩＤが付与され、非接触で通信を行う通信部を有する携帯端末と、管理対象の場所の入口に設置され、前記携帯端末から非接触でＩＤを読み取る管理モジュールと、前記携帯端末と通信ネットワークを介して接続され、前記携帯端末にメッセージを送信するメッセージ通知サーバと、前記携帯端末と通信ネットワークを介して接続され、入場許可申請をした外来者の携帯端末のＩＤを保持し、前記管理モジュールによって読み取られた携帯端末のＩＤと予め保持したＩＤとの照合を行う入退管理サーバとを備え、前記入退管理サーバは入場を許可する場合には、前記管理モジュールに入場を許可する指令を送信してゲートを開き、且つ、前記メッセージ通知サーバに対して携帯端末に入場を許可するメッセージを送信するように指令することを特徴とする。
【０００７】
また、本発明は、固有のＩＤが付与され、非接触で通信を行う通信部を有する携帯端末から、管理対象の場所の入口に設置された管理モジュールが非接触でＩＤを読み取るステップと、前記携帯端末と通信ネットワークを介して接続された入退管理サーバが前記管理モジュールによって読み取られた携帯端末のＩＤと予め保持したＩＤとの照合を行い、入場可否を判定するステップと、前記入退管理サーバが入場を許可する場合には、前記管理モジュールに入場を許可する指令を送信してゲートを開き、且つ、メッセージ通知サーバに対して携帯端末に入場を許可するメッセージを送信するように指令するステップとを含むことを特徴とする。
【発明の効果】
【０００８】
本発明によれば、管理者側が入場を許可する場合には、外来者の携帯端末に入場を許可することや、歓迎のメッセージを送信することにより、単に機械的なゲートの開閉で入場許可を知らせるのではなく、携帯端末の画面の目視等によって入場許可を知らせることができ、外来者に対して企業等の管理者側のイメージアップにつなげることができる。
【発明を実施するための最良の形態】
【０００９】
次に、発明を実施するための最良の形態について図面を参照して詳細に説明する。
【００１０】
（第１の実施形態）
図１は本発明に係る入退場管理システムの第１の実施形態を示すブロック図である。図中１０は入退場管理に用いる携帯電話モジュールであり、所謂携帯電話機としての機能、インターネット等の通信ネットワーク９０を介してデータを送受信する機能、及び後述するように非接触方式で管理モジュールと通信を行う機能を持っている。
【００１１】
即ち、携帯電話モジュール１０には非接触で通信を行うためのアンテナや無線通信回路部を含む非接触チップが搭載されており、後述するように携帯電話モジュール１０と入退場を管理する各管理モジュールとの間で通信を行う。また、携帯電話モジュール１０の非接触チップには固有のシリアルＩＤナンバーが付与され、このシリアルＩＤナンバーを用いて入退場管理を行う。
【００１２】
入退場申請モジュール２０は画面と画面入力機能等を有するプログラム制御によって動作する情報処理装置であり、入場許可申請の受け付けや、外来者のインターネットアドレス、入場エリア、入場日時等の入力に用いられる。
【００１３】
入退管理サーバ３０はプログラム制御によって動作する情報処理装置であり、通信ネットワーク９０を介して携帯電話モジュール１０やメッセージ通知サーバ７０と接続されている。入退管理サーバ３０は入退場申請モジュール２０、入退館管理モジュール４０、入退フロア管理モジュール５０、入退室管理モジュール６０と接続され、それぞれのモジュールと通信を行う。
【００１４】
入退館管理モジュール４０はプログラム制御によって動作する情報処理装置であり、ビル等の建物の入り口に設置され、その建物への入場を管理するものである。入退フロア管理モジュール５０は同様にプログラム制御によって動作する情報処理装置であり、ビル等の建物の各フロアの入口に設置され、各フロアへの入場を管理するものである。
【００１５】
入退室管理モジュール６０は同様にプログラム制御によって動作する情報処理装置であり、ビル等の建物の各フロアの入退場の管理を必要とするエリア、例えば、サーバ室のような機密情報保管場所の入口（ドア）に設置されている。入退室管理モジュール６０はそのような入退場を管理するエリアへの入場を管理するものである。
【００１６】
これら入退館管理モジュール４０、入退フロア管理モジュール５０、入退室管理モジュール６０には、携帯電話モジュール１０との間で非接触で通信を行い、携帯電話モジュール１０から送信されたシリアルＩＤナンバーを読み取るための非接触リーダが設けられている。
【００１７】
メッセージ通知サーバ７０はプログラム制御によって動作する情報処理装置であり、通信ネットワーク９０を介して携帯電話モジュール１０や入退管理サーバ３０と接続されている。メッセージ通知サーバ７０は携帯電話モジュール１０にメッセージを送信する。
【００１８】
図２は本実施形態の入場許可申請を行う場合の動作を示すフローチャートである。まず、外来者は、予め管理対象のビル等の建物内にいる面会者に面会を予約しておく。面会者は入退場申請モジュール２０の画面入力機能を用いて必要事項を入力し、入場許可申請を行う（Ｓ１０１）。その際、面会者は外来者の氏名、性別、年齢、会社名、所属、電話番号、要件等を入力して、入場許可申請を行う。
【００１９】
入退場申請モジュール２０は入場許可申請を受け付けると、入力事項を入退管理サーバ３０に送信する。入退管理サーバ３０は入場許可申請に対して別途定めるルールに従って審査を行い、申請者の入場可否を判定する（Ｓ１０２）。例えば、上述のように予め外来者から面会の予約があった場合には、入場を許可する等の審査基準を設定しておく。また、予め取引先の会社名、所属、氏名等の情報をデータベースに登録しておき、外来者の会社名、所属、氏名等がデータベースに登録されていれば、入場を許可する等の審査基準を設定しておく。
【００２０】
審査の結果、入場許可申請に対して入場を許可する場合には、入退管理サーバ３０は入退場申請モジュール２０に入場を許可する情報を送信する（Ｓ１０３）。面会者はそれに基づいて予め外来者から聞いておいた外来者の携帯電話モジュールのインターネットアドレス、入場日時、入場エリア等の情報を入退場申請モジュール２０から入退管理サーバ３０に送信する（Ｓ１０４）。
【００２１】
入退管理サーバ３０は外来者のインターネットアドレスに対して入場許可通知及びサーバアドレスを通信ネットワーク９０を介して送信する（Ｓ１０５）。外来者は入場許可通知を受けると、携帯電話モジュール１０から自己のシリアルＩＤナンバーを入退管理サーバ３０のサーバアドレスに対して通信ネットワーク９０を介して送信する（Ｓ１０６）。入退管理サーバ３０は入場申請した携帯電話モジュール１０のシリアルＩＤナンバーやＳ１０４で送信された入場日時、入場エリア情報等を内部の記憶装置に保持して（Ｓ１０７）、申請処理を終了する。
【００２２】
図３は入場申請を許可された外来者が管理対象のビル等の建物の目的のエリアに入場する場合の動作を示すフローチャートである。まず、管理対象のビル等の建物の入口には入退館管理モジュール４０が設置されており、外来者は自己の携帯電話モジュール１０を入退館管理モジュール４０の非接触リーダ部分上にかざす（Ｓ２０１）。この時、携帯電話モジュール１０の非接触チップと入退館管理モジュール４０内に設けられた非接触リーダとの間で通信を行い、携帯電話モジュール１０から入退館管理モジュール４０にシリアルＩＤナンバーを送信する。
【００２３】
入退館管理モジュール４０の非接触リーダはそのシリアルＩＤナンバーを読み取り、入退管理サーバ３０に送信する（Ｓ２０２）。入退管理サーバ３０は受信したシリアルＩＤナンバーと予め記憶装置に保持しているシリアルＩＤナンバーとを照合し、外来者が入場許可申請をした本人であるかを判断する（Ｓ２０３）。また、入場日時、入場エリア等を確認し、その結果に基づいて外来者の入場可否を判断し、結果を入退館管理モジュール４０に送信する（Ｓ２０３）。
【００２４】
入退館管理モジュール４０は入場を許可されると、図示しないゲートを開き、外来者の建物内への入場を許可する（Ｓ２０４）。入場を許可しない場合には、アラームを鳴らし、入場を許否する。その際、警備室に連絡する等の処置をとるのが良い。
【００２５】
また、入退管理サーバ３０は同時にメッセージ通知サーバ７０に対して入場を許可する旨の情報を送信し、メッセージ通知サーバ７０は携帯電話モジュール１０に入場を許可する旨の情報や歓迎のメッセージを送信する（Ｓ２０５）。これらの情報は携帯電話モジュール１０の表示画面上に表示され（Ｓ２０６）、外来者はそれを見ることによって入場を許可されたことが分かる。また、そうすることで、外来者に好感度を与えられ、企業等のイメージアップに繋がる。
【００２６】
このようにして外来者はビル等の建物の中に入ることができる。次いで、外来者は目的のフロアに到着すると、同様にフロアの入口に設置された入退フロア管理モジュール５０の非接触リーダ部分に携帯電話モジュール１０をかざす（Ｓ２０７）。そうすると、同様に携帯電話モジュール１０と入退フロア管理モジュール５０の非接触リーダとの間で通信を行い、携帯電話モジュール１０のシリアルＩＤナンバーを非接触リーダが読み取り、入退管理サーバ３０に送信する（Ｓ２０８）。
【００２７】
入退管理サーバ３０はＳ２０３と同様に外来者の入場を許可するか否かの判定を行い、判定結果を入退フロア管理モジュール５０に送信する（Ｓ２０９）。入場を許可するのであれば、入退フロア管理モジュール５０はそのフロアのドアを開く（Ｓ２１０）。入場を許可しない場合には、同様にアラームを鳴らし、入場を許否する。その際、警備室に連絡する等の処置をとるのが良い。
【００２８】
次いで、外来者は目的のフロア内に入り、例えば、サーバ室等の入退場管理を行っている目的のエリアに到着する。この時、同様に外来者はその部屋の入口に設置された入退室管理モジュール６０の非接触リーダ部分に携帯電話モジュール１０をかざし（Ｓ２１１）、同様に携帯電話モジュール１０と非接触リーダとの間で通信を行い、携帯電話モジュール１０のシリアルＩＤナンバーを非接触リーダが読み取り、入退管理サーバ３０に送信する（Ｓ２１２）。
【００２９】
入退管理サーバ３０はＳ２０３、Ｓ２０９と同様に外来者の入場を許可するか否かの判定を行い、判定結果を入退室管理モジュール６０に送信する（Ｓ２１３）。入場を許可するのであれば、入退室管理モジュール６０はそのエリアのドアを開く（Ｓ２１４）。入場を許可しない場合には、同様にアラームを鳴らし、入場を許否する。その際、警備室に連絡する等の処置をとるのが良い。このようにして外来者は目的のエリアに入ることができる。
【００３０】
なお、外来者が退場する場合には、同様に入退室管理モジュール６０、入退フロア管理モジュール５０、入退館モジュール４０でそれぞれ退場しようとする携帯電話モジュール１０のシリアルＩＤナンバーを読み取り、それに基づいて入場許可申請をした外来者（又は先に入場した外来者）であればゲート等を開いて退場してもらえば良い。
【００３１】
本実施形態では、管理対象の建物、フロア或いは部屋等に入場を許可する場合には、外来者の携帯電話モジュールに入場を許可する旨の情報や歓迎のメッセージを送信することにより、単に機械的なゲートの開閉で入場許可を知らせるのではなく、携帯電話モジュールの画面の目視等によって入場許可を知らせることができ、外来者に対して企業等の管理者側のイメージアップにつなげることができる。
【００３２】
また、外来者が管理対象の管理エリア内で不審者と思われた場合等には、自己の携帯電話モジュールの表示画面上で入場許可申請時に取得した入場許可申請を表示させ、それを管理者側の社員等に見せるようにすれば、入場許可証として用いることが可能となる。
【００３３】
（第２の実施形態）
図４は本発明による入退場管理システムの第２の実施形態を示すブロック図である。図４では図１と同一部分には同一符号を付している。図１との違いは、入退場管理に用いる携帯電話モジュール８０が、携帯電話機能やインターネット等に接続してデータを送受信する機能に加えて、非接触方式で情報を送信及び受信するためのアンテナと無線送受信回路部（非接触チップ）を有する点である。また、携帯電話モジュール８０には同様に固有のシリアルＩＤナンバーが付与されている。
【００３４】
更に、入退館管理モジュール４０には、非接触方式で情報を送信する無線通信部が設けられている。入退館管理モジュール４０には固有のシリアルＩＤナンバーが付与されており、携帯電話モジュール８０に対してその無線通信部から固有のシリアルＩＤナンバーを送信し、携帯電話モジュール８０の無線送受信回路部で読み取られる。入退フロア管理モジュール５０、入退室管理モジュール６０も同様である。その他の構成は図１と同様である。
【００３５】
次に、本実施形態の動作を説明する。まず、外来者が入場許可申請を行う場合の動作は第１の実施形態の図２と同様であるので詳しい説明は省略する。次に、入場申請を許可された外来者が目的のエリアに入場する場合の動作を図５を参照して説明する。
【００３６】
図５は入場申請を許可された外来者が管理対象のビル等の建物の目的のエリアに入場する場合の動作を示すフローチャートである。まず、管理対象のビル等の建物の玄関等の入口には入退館管理モジュール４０が設置されており、外来者は自己の携帯電話モジュール８０を入退館管理モジュール４０の非接触の無線通信部上にかざす（Ｓ３０１）。
【００３７】
この時、携帯電話モジュール８０の無線送受信部と入退館管理モジュール４０内に設けられた無線通信部との間で非接触で通信を行い、携帯電話モジュール８０は入退館管理モジュール４０の無線通信部から送信されたシリアルＩＤナンバーを読み取る（Ｓ３０２）。
【００３８】
携帯電話モジュール８０は読み取った入退館管理モジュール４０のシリアルＩＤナンバー及び自己の携帯電話モジュールのシリアルＩＤナンバーの両方を通信ネットワーク９０を介して入退管理サーバ３０に送信する（Ｓ３０３）。入退管理サーバ３０は、まず、携帯電話モジュール８０で読み取られた入退館管理モジュール４０のシリアルＩＤナンバーから、外来者にとって入場してよい場所から正しく入場しようとしているかどうかの判定を行う（Ｓ３０４）。
【００３９】
入退館管理モジュール４０は、例えば、表口や裏口等に設けられており、これら表口や裏口等の入退館管理モジュール４０のゲートから正しく入場しているのかを確認することが可能となる。外来者が不正に入場しようとした場合には、このシリアルＩＤナンバーから不正入場が分かる。
【００４０】
また、入退管理サーバ３０は携帯電話モジュールのシリアルＩＤナンバーと予め保持している入場許可申請をした携帯電話モジュールのシリアルＩＤナンバーを照合することで、入場しようとしている外来者が入場許可申請をした本人であるかを判定する（Ｓ３０４）。
【００４１】
更に、入退管理サーバ３０は入場日時、入場エリア等の情報を確認した上で入場可否を判断し、結果を入退館管理モジュール４０に送信する（Ｓ３０４）。
【００４２】
入退館管理モジュール４０は入場を許可されると、図示しないゲートを開き、外来者の建物内への入場を許可する（Ｓ３０５）。入場を許可しない場合には、アラームを鳴らし、入場を許否する。その際、警備室に連絡する等の処置をとるのが良い。
【００４３】
また、入退管理サーバ３０は同時にメッセージ通知サーバ７０に対して入場を許可する旨の情報を送信し、メッセージ通知サーバ７０は携帯電話モジュール８０に入場を許可する旨の情報や歓迎のメッセージを送信する（Ｓ３０６）。これらの情報は携帯電話モジュール８０の表示画面上に表示され（Ｓ３０７）、外来者はそれを見ることによって入場を許可されたことが分かる。
【００４４】
以上で外来者は入退館管理モジュール４０のゲートを通り、ビル等の建物の内部に入ることができるが、その後の目的のフロアやエリアに入場する場合の動作は入退館管理モジュール４０の場合と同様であるので詳しい説明は省略する。
【００４５】
即ち、入退フロア管理モジュール５０や入退室管理モジュール６０には、同様にシリアルＩＤナンバーが付与されており、外来者がそのゲートから入場しようとする場合には、同様に携帯電話モジュールをかざして各モジュールのシリアルＩＤナンバーを読み取り、自己のシリアルＩＤナンバーと共に入退管理サーバ３０に送信する。入退管理サーバ３０は入退館管理モジュール４０の場合と同様に入場を許可するか否かの判定を行い、入場を許可する場合にはゲートを開く。
【００４６】
なお、外来者が退場する場合には、入退室管理モジュール６０、入退フロア管理モジュール５０、入退館モジュール４０でそれぞれ携帯電話モジュールのシリアルＩＤナンバーを入退管理サーバ３０に送信し、それに基づいて入場許可申請をした外来者（又は先に入場した外来者）であればゲート等を開いて退場してもらえば良い。また、入場の場合と同様に携帯電話モジュールのシリアルＩＤナンバーと各管理モジュールのシリアルＩＤナンバーに基づいて退場を判定しても良い。
【００４７】
本実施形態では、携帯電話モジュール８０のシリアルＩＤナンバーと入退館管理モジュール４０等の管理モジュールのシリアルＩＤナンバーの両方を用いて入場可否を判定しているので、更にセキュリティーを高めることができる。
【００４８】
（第３の実施形態）
次に、本発明の第３の実施形態について説明する。本実施形態のシステム構成は図１、図４と同様である。但し、本実施形態では、携帯電話モジュール１００が携帯電話機機能やインターネット等に接続してデータを送受信する機能に加えて、２次元バーコードを読み取る機能（カメラ機能）を備えている点が異なる。また、入退館管理モジュール４０は２次元バーコードを画面上に表示する機能を持っており、携帯電話モジュール１００はその２次元バーコードを読み取る。この２次元バーコードは時間によって変化する。入退フロア管理モジュール５０、入退室管理モジュール６０の場合も同様である。その他の構成は図１、図４と同様である。
【００４９】
次に、本実施形態の動作を説明する。まず、外来者が入場許可申請を行う場合の動作は第１、第２の実施形態と同様であるので詳しい説明は省略する。次に、外来者が管理対象の目的のエリアに入場する場合の動作を図６を参照して説明する。
【００５０】
まず、管理対象のビル等の建物の玄関等の入口には同様に入退館管理モジュール４０が設置されており、入退館管理モジュール４０は２次元バーコードを表示する（Ｓ４０１）。外来者は自己の携帯電話モジュール１００を入退館管理モジュール４０のバーコード表示部分にかざして２次元バーコードを読み取る（Ｓ４０２）。入退館管理モジュール４０は２次元バーコードを時間によって変化させ、その時間によって入場時間が分かる。
【００５１】
携帯電話モジュール１００は読み取った２次元バーコードと自己の携帯電話モジュールに付与されたシリアルＩＤナンバーの両方を通信ネットワーク９０を介して入退管理サーバ３０に送信する（Ｓ４０３）。入退管理サーバ３０はこれら２次元バーコードとシリアルＩＤナンバーの情報を受信すると、まず、２次元バーコードにより入場時間を判断する（Ｓ４０４）。
【００５２】
即ち、２次元バーコードは時間によって変化するため、入場許可申請時に保持した入場時間と２次元バーコードに対応する時間とを比較し、外来者が予定の入場時間に入場したのかどうかを判断する。両方の時間が所定時間以上違っていれば入場を許否すると良い。また、現在の時間と２次元バーコードによる時間を比較し、両方の時間が所定時間以上違っていれば入場を許否する等の方法がある。
【００５３】
また、入退管理サーバ３０は、送信されたシリアルＩＤナンバーと内部に保持する携帯電話モジュールのシリアルＩＤナンバーを照合し、外来者が入場許可申請をした本人であるかを判断する（Ｓ４０４）。このようにして外来者が入場予定時間に入場し、且つ、入場許可申請をした本人であることを確認すると、更に、入場エリア等の情報を確認した上で入場可否を判断し、その結果を入退館管理モジュール４０に送信する（Ｓ４０４）。
【００５４】
入退館管理モジュール４０は入場を許可されると、図示しないゲートを開き、外来者の建物内への入場を許可する（Ｓ４０５）。入場を許可しない場合には、アラームを鳴らし、入場を許否する。その際、警備室に連絡する等の処置をとるのが良い。
【００５５】
また、入退管理サーバ３０は同時にメッセージ通知サーバ７０に対して入場を許可する旨の情報を送信し（Ｓ４０４）、メッセージ通知サーバ７０は携帯電話モジュール１００に入場を許可する旨の情報や歓迎のメッセージを送信する（Ｓ４０６）。これらの情報は携帯電話モジュール１００の表示画面上に表示され（Ｓ４０７）、外来者はそれを見ることによって入場を許可されたことが分かる。
【００５６】
以上で外来者は入退館管理モジュール４０のゲートを通り、ビル等の建物の内部に入ることができるが、その後の目的のフロアやエリアに入場する場合の動作は、入退館管理モジュール４０の場合と同様であるので詳しい説明は省略する。
【００５７】
なお、外来者が退場する場合には、同様に入退室管理モジュール６０、入退フロア管理モジュール５０、入退館モジュール４０でそれぞれ携帯電話モジュールのシリアルＩＤナンバーを入退管理サーバ３０に送信し、それに基づいて入場許可申請をした外来者（又は先に入場した外来者）であればゲート等を開いて退場してもらう等の方法がある。
【００５８】
本実施形態では、入退館管理モジュール４０等の各管理モジュールのゲートを通る際に携帯電話モジュール１００のシリアルＩＤナンバーと管理モジュールの２次元バーコードを用いて入場可否を判定しているので、更にセキュリティーを高めることができる。
【図面の簡単な説明】
【００５９】
【図１】本発明の入退場管理システムの第１の実施形態を示すブロック図である。
【図２】第１の実施形態の外来者が入場許可申請をする場合の動作を示すフローチャートである。
【図３】第１の実施形態の外来者がビル等の建物の目的のエリアに入場する場合の動作を示すフローチャートである。
【図４】本発明の第２の実施形態を示すブロック図である。
【図５】第２の実施形態の外来者がビル等の建物の目的のエリアに入場する場合の動作を示すフローチャートである。
【図６】本発明の第３の実施形態の外来者がビル等の建物の目的のエリアに入場する場合の動作を示すフローチャートである。
【符号の説明】
【００６０】
１０  携帯電話モジュール
２０  入退場申請モジュール
３０  入退管理サーバ
４０  入退館管理モジュール
５０  入退フロア管理モジュール
６０  入退室管理モジュール
７０  メッセージ通知サーバ
８０  携帯電話モジュール
９０  通信ネットワーク
１００  携帯電話モジュール
【図１】
2006293819.tif 000003
【図２】
2006293819.tif 000004
【図３】
2006293819.tif 000005
【図４】
2006293819.tif 000006
【図５】
2006293819.tif 000007
【図６】
2006293819.tif 000008